(57)【要約】      （修正有）【課題】建築現場等の高い場所での作業を安全に行うことができる補助脚構造及び係止構造を備えた梯子を提供する。【解決手段】梯子１を、伸縮部材を内包した係止部材を備えた連結部材と連結材間に取り付けられた補助板からなる係止部２と、前記係止部２の下端に連結する伸縮軸と複数枚の梯子板からなる伸縮梯子部３と、前記伸縮梯子部３がスライド式によって連結される梯子軸と複数枚の梯子板からなる梯子部４と、前記梯子部４の側面に取り付けられる補助脚軸６と、前記補助脚軸６上に上下にスライドする固定部７と、前記補助脚軸６の下部と開閉板６ｅにより連結された開脚部９と、補助脚軸６内を上下移動し、開脚部９内を左右移動するように連結された補助板部８からなる補助脚部５とから構成した。【選択図】  図１
2006328855.tif 000002
【特許請求の範囲】
【請求項１】
左右伸縮部材を内包し左右係止部材を備えた左右連結部材と前記左右連結部材を連結する連結材と左右連結部材及び連結材間に取り付けられた補助板からなる係止部と、前記左右連結部材の一部をスライド可能に内包する左右伸縮軸と前記左右伸縮軸を連結する複数枚の梯子板からなる伸縮梯子部と、前記左右伸縮軸の一部をスライド可能に内包する左右梯子軸と前記左右梯子軸を連結する複数枚の梯子板からなる梯子部と、前記左右梯子軸に連結され上端に突起を設け底面部に開閉板を備えた本体からなる補助脚軸と、正面下部に傾斜板を備えた略コの字型の固定部本体と留め具により前記固定部本体と連結されている押圧板からなり前記補助脚軸に上下にスライド可能に取付けられた固定部と、先端部両側にガイド棒を備えた補助板部本体と前記補助板部本体の背面に取り付けられた背面板と前記補助板部本体の上面取り付けられた上面板からなる補助板部と、先端に傾斜板を備え内部にＬ字止め板を備え前記補助脚軸と開閉板により連結された開脚部本体からなる開脚部で構成される補助脚部とからなることを特徴とする補助脚構造及び係止構造を備えた梯子。
【発明の詳細な説明】
【技術分野】
【０００１】
本発明は、建築現場等の高い場所での作業をする時に使用する梯子の改良に関する発明である。
【背景技術】
【０００２】
従来の梯子は二重に重ねられた梯子の一方がスライド移動して梯子の全長が伸びる構造や、２つに折り曲げられた梯子を伸ばして梯子の全長を倍にする構造であった。
【０００３】
しかしながら、従来の梯子は作業場所に梯子を立て掛けていたため安定せず、特に梯子を最大に伸ばした場合などは更に安定せず、危険であった。また、丸太や電柱などに立て掛けて作業をする場合もあり、更に危険性が高かった。
【特許文献１】特願２００３−３４３１８５号公報
【発明の開示】
【発明が解決しようとする課題】
【０００４】
そこで、本発明は、梯子の下部両側に補助脚を設け、さらに梯子の上部に係止構造を設けたことで、梯子を安定させることができ、高所であっても安全に作業を行うことができる補助脚構造及び係止構造を備えた梯子を提供することを目的とするものである。
【課題を解決するための手段】
【０００５】
本発明は、上記の課題を解決するために、左右伸縮部材２ｆ、２ｇを内包し左右係止部材２ｈ、２ｉを備えた左右連結部材２ａ、２ｂと前記左右連結部材２ａ、２ｂを連結する連結材２ｅと左右連結部材２ａ、２ｂ及び連結材２ｅ間に取り付けられた補助板２ｖからなる係止部２と、前記左右連結部材２ａ、２ｂの一部をスライド可能に内包する左右伸縮軸３ａ、３ｂと前記左右伸縮軸３ａ、３ｂを連結する複数枚の梯子板３ｃからなる伸縮梯子部３と、  前記左右伸縮軸３ａ、３ｂの一部をスライド可能に内包する左右梯子軸４ａ、４ｂと前記左右梯子軸４ａ、４ｂを連結する複数枚の梯子板４ｃからなる梯子部４と、前記左右梯子軸４ａ、４ｂに連結され上端に突起６ｂを設け底面部６ｄに開閉板６ｅを備えた本体６ａからなる補助脚軸６と、正面下部に傾斜板７ｂを備えた略コの字型の固定部本体７ａと留め具７ｅにより前記固定部本体７ａと連結されている押圧板７ｃからなり前記補助脚軸６に上下にスライド可能に取付けられた固定部７と、先端部両側にガイド棒８ｅを備えた補助板部本体８ａと前記補助板部本体８ａの背面に取り付けられた背面板８ｃと前記補助板部本体８ａの上面に取り付けられた上面板８ｄからなる補助板部８と、先端に傾斜板９ｃを備え内部にＬ字止め板９ｅを備え前記補助脚軸６と開閉板６ｅにより連結された開脚部本体９ａからなる開脚部９で構成される補助脚部５とからなることを特徴とする補助脚構造及び係止構造を備えた梯子の構成とした。
【発明の効果】
【０００６】
本発明の補助脚構造及び係止構造を備えた梯子は、補助脚構造を備えているため安定し、安全に作業を行うことができる。
【０００７】
また、滑り止めを設けた係止構造を備えているため、梯子上部が立て掛けた屋根や壁から左右にずれることがなく安定し、安全に作業を行うことができる。
【０００８】
更に、補助板２枚を略Ｖ字状に配置した係止構造であるため、丸太や電柱を挟み込むことができ、梯子の立て掛け先が平面ではない柱でも安定し、安全に作業を行うことができる。
【発明を実施するための最良の形態】
【０００９】
容易にずれたり、外れたりせず高所であっても安全に作業ができる梯子という目的を補助脚構造と係止構造を付けることによって実現した。
【実施例１】
【００１０】
図１は本発明である補助脚構造及び係止構造を備えた梯子の正面図、図２は補助脚構造及び係止構造を備えた梯子の背面図、図３は補助脚構造及び係止構造を備えた梯子の左側面図、図４は補助脚構造及び係止構造を備えた梯子の断面図である。
【００１１】
図１から図４に示すように、本発明である補助脚構造及び係止構造を備えた梯子１は、係止部２と、前記係止部２の下端に連結する伸縮梯子部３と、前記伸縮梯子部３がスライド式によって伸縮するように連結される梯子部４と、前記梯子部４の側面に取り付けられる補助脚軸６と前記補助脚軸６上を上下にスライドする固定部７と前記補助脚軸６の下部と開閉板６ｅにより開閉可能に連結された開脚部９と一端が前記補助脚軸６内を上下移動し他端が前記開脚部９内を左右移動するように連結された補助板部８からなる補助脚部５とからなる。
【００１２】
前記係止部２及び補助脚部５については後の図面を使用して詳細に説明することとする。前記伸縮梯子部３は、同形同大の左右伸縮軸３ａ、３ｂを向かい合わせて複数枚の梯子板３ｃ、３ｃ、３ｃ・・・で連結したものである。前記複数枚の梯子板３ｃ、３ｃ、３ｃ・・・は全て互いに平行及び等間隔で設置されており、前記左右伸縮軸３ａ、３ｂとは垂直に連結している。また、前記左右伸縮軸３ａ、３ｂは内部が中空で平面よりみると略コの字型をしており、側面より見ると開口している面が外側を向いている。
【００１３】
前記梯子部４は、同形同大の左右梯子軸４ａ、４ｂを向かい合わせて複数の梯子板４ｃ、４ｃ、４ｃ・・・で連結したものである。前記複数枚の梯子板４ｃ、４ｃ、４ｃ・・・は全て互いに平行及び等間隔で設置されており、前記左右梯子軸４ａ、４ｂとは垂直に連結している。また、前記左右梯子軸４ａ、４ｂは内部が中空で平面よりみると略コの字型をしており、側面より見ると開口している面が内側を向いている。尚、前記左右梯子軸４ａ、４ｂの下端は傾斜４ｇしている。
【００１４】
前記補助脚部５は補助脚軸６と、前記補助脚軸６上を上下にスライドする固定部７と、前記補助脚軸６の下端に回動可能に接続された開脚部９と、一端を前記補助脚軸６とスライド移動可能に連結しもう一端を開脚部９にスライド移動可能に連結した補助板部８とからなり、前記左右梯子軸４ａ、４ｂの下端外側に取り付けられている。
【００１５】
前記左右梯子軸４ａ、４ｂと前記補助脚部５は、補助脚部５を構成する補助脚軸６の本体６ａを前記左右梯子軸４ａ、４ｂに取り付けることにより連結されている。
【００１６】
次に図５以下を使用して、各部材の詳細及び各部材間の連結構造について説明することとする。図５は本発明である補助脚構造及び係止構造を備えた梯子の係止部の正面図、図６は補助脚構造及び係止構造を備えた梯子の係止部の背面図、図７は補助脚構造及び係止構造を備えた梯子の係止部の左側面図、図８は補助脚構造及び係止構造を備えた梯子の係止部の断面図、図９は補助脚構造及び係止構造を備えた梯子の係止部の平面図である。
【００１７】
図５から図９に示すように、本発明である補助脚構造及び係止構造を備えた梯子１の係止部２は、左右連結部材２ａ、２ｂと左右係止部材２ｈ、２ｉと左右伸縮部材２ｆ、２ｇと連結材２ｅとからなる。前記左右連結部材２ａ、２ｂは同形同大で、内部が中空の略四角柱状をしており、内部に上下ガイド２ｏ、２ｐを備えている。
【００１８】
前記左連結部材２ａの４つの側面の内一つの下端は左傾斜部２ｃとなっており内側に向かって傾斜している。即ち、左連結部材２ａの下端は狭くなっている。前記右連結部材２ｂも前記左連結部材２ａと同様に４つの側面の内一つの下端は右傾斜部２ｄとなっており内側に向かって傾斜している。即ち、右連結部材２ｂの下端も狭くなっている。
【００１９】
前記左右係止部材２ｈ、２ｉは同形同大で、内部が中空の略四角柱状をしており、左係止部材２ｈの先端には左滑り止め２ｊが取り付けられ、右係止部材２ｉの先端には右滑り止め２ｋが取り付けられている。前記左右滑り止め２ｊ、２ｋは左右係止部材２ｈ、２ｉの先端部が全て覆われるように取り付けられている。前記左右係止部材２ｈ、２ｉの他端側の上面には上挿入孔２ｒが穿設され、下面には下挿入孔２ｓが穿設されている。尚、前記上下挿入孔２ｒ、２ｓの穿設位置は丁度重なる位置に穿設されている。
【００２０】
前記左連結部材２ａ内には略四角柱状の左伸縮部材２ｆが上端が突出するように挿入されており、左連結部材２ａ内に設置された略コの字型の上下ガイド２ｏ、２ｐにより上下にスライドするように保持されている。前記左伸縮部材２ｆの上端には左係止片２ｌが取り付けられており、左伸縮部材２ｆを左連結部材２ａ内に格納する場合に左伸縮部材２ｆ全体が左連結部材２ａ内に入り込んでしまわないようにするために、左係止片２ｌを前記上挿入孔２ｒに引っ掛ける目的で取り付けられている。
【００２１】
また、前記左伸縮部材２ｆの下端には下係止片２ｎが取り付けられており、左伸縮部材２ｆを上方に引き上げた場合に左伸縮部材２ｆ全体が左連結部材２ａから外れてしまわないようにするために、前記下ガイド２ｐに引っ掛ける目的で取り付けられている。
【００２２】
前記右伸縮部材２ｇにも同じように上端に右係止片２ｍが取り付けられ、下端には下係止片２ｎが取り付けられている。前記右係止片２ｍ及び下係止片２ｎの役割は、前記左伸縮部材２ｆの左係止片２ｌ及び下係止片２ｎと同じである。即ち、右係止片２ｍは前記上挿入孔２ｒに引っ掛かり右伸縮部材２ｇが右連結部材２ｂ内に入り込むのを防ぎ、下係止片２ｎは下ガイド２ｐに引っ掛かり右伸縮部材２ｇが右連結部材２ｂから外れるのを防いでいる。
【００２３】
前記左右伸縮部材２ｆ、２ｇは、前述のように左右連結部材２ａ、２ｂ内に上端の一部が突出するように上下スライド可能に挿入されていると同時に、前記左右係止部材２ｈ、２ｉに穿設されている上下挿入孔２ｒ、２ｓ内を貫通している。
【００２４】
図９に示すように、前記左係止部材２ｈと右係止部材２ｉは連結材２ｅにより平面より見た場合に略コの字型を形成するように連結されている。更に、前記連結材２ｅの中央より少し左側と右側から前記左右係止部材２ｈ、２ｉの先端部手前かけて補助板２ｖ、２ｖが連結されている。略Ｖ字型に取り付けられた前記補強板２ｖ、２ｖにより、左右係止部材２ｈ、２ｉと連結材２ｅの連結が強化されると同時に、補強板２ｖ、２ｖ間に丸太や電信柱などを挟み込むことができる。
【００２５】
図１０は本発明である補助脚構造及び係止構造を備えた梯子の係止部の一部拡大図である。図１０に示すように、左係止部材２ｈの上下挿入孔２ｒ、２ｓを貫通して左連結部材２ａ内に伸縮自在に挿入されている左伸縮部材２ｆの上下スライドを固定するには、前記上ガイド２ｏに穿設されている孔２ｑに固定具２ｔを螺合し、締めつける。これにより左伸縮部材２ｆを任意の位置まで伸縮させて固定することができる。当然前記固定具２ｔを弛めることで、前記左伸縮部材２ｆを上下動させることができる。
【００２６】
この構造は右伸縮部材２ｇについても同様で、右連結部２ｂ内の上ガイド２ｏに穿設された孔２ｑに固定具２ｔを螺合させ、締めつけることで右伸縮部材２ｇの上下スライドを固定することができ、固定具２ｔを弛めることで解除することができる。
【００２７】
図１１は本発明である補助脚構造及び係止構造を備えた梯子の係止部と伸縮梯子部の連結方法を示した拡大図である。図１１に示すように、係止部２と伸縮梯子部３は、伸縮梯子部３内に係止部２を挿入した状態で連結されており、左連結部材２ａに穿設された孔２ｕと伸縮梯子部３の左伸縮軸３ａに穿設された孔３ｅの位置を重ね、留め具３ｄを孔２ｕ、３ｅに同時に嵌入することで固定することができる。
【００２８】
前記右連結部材２ｂと伸縮梯子部３についても同様である。即ち、右連結部材２ｂは右伸縮軸３ｂ内に挿入された状態で連結されており、右連結部材２ｂに穿設された孔２ｕと右伸縮軸３ｂに穿設された孔３ｅの位置を重ね、留め具３ｄを孔２ｕ、３ｅに同時に嵌入することで固定することができる。
【００２９】
図１２は本発明である補助脚構造及び係止構造を備えた梯子の伸縮梯子部と梯子部の連結方法を示した拡大図である。図１２に示すように、左伸縮軸３ａと左梯子軸４ａは開口面が反対を向いており、左伸縮軸３ａの一片を左梯子軸４ａ内に挿通させて上下にスライド可能に連結されている。
【００３０】
左伸縮軸３ａを上下にスライドさせて任意の場所で固定するには、左伸縮軸３ａに穿設された孔３ｆと、左梯子軸４ａに穿設された孔４ｄ、４ｈの位置を合わせ、一直線上に並んだ全ての孔３ｆ、４ｄ、４ｈに留め具４ｅ挿通して固定する。前記孔３ｆは左伸縮軸３ａに複数穿設されており、また孔４ｄ、４ｈは左梯子軸４ａに複数穿設されている。
【００３１】
図示はされていないが、右伸縮軸３ｂと右梯子軸４ｂの連結方法及び固定方法は、左伸縮軸３ａと左梯子軸４ａの場合と同様である。即ち、右伸縮軸３ｂには複数の孔３ｆが穿設されており、右梯子軸４ｂにも孔４ｄ、４ｈが複数穿設されている。これらの孔３ｆ、４ｄ、４ｈを一直線上に並べた位置で全ての孔３ｆ、４ｄ、４ｈに留め具４ｅを挿通して固定する。
【００３２】
図１３は本発明である補助脚構造及び係止構造を備えた梯子の梯子部と補助脚軸の連結方法を示した拡大図である。図１３に示すように、前記梯子部４を構成する左右梯子部４ａ、４ｂの下部外側には補助脚軸６の本体６ａが取り付けられている。
【００３３】
左右梯子軸４ａ、４ｂの下部に取り付けられている数本の梯子板４ｃは左右梯子軸４ａ、４ｂに穿設された孔４ｆを貫通し、前記本体６ａの背面側に穿設された連結孔６ｃまで挿通されている。これを複数箇所で行うことにより左右梯子軸４ａ、４ｂと本体６ａはしっかりと連結される。
【００３４】
図１４は本発明である補助脚構造及び係止構造を備えた梯子の補助脚軸の斜視図である。図１４に示すように、補助脚軸６は、略四角柱状で正面の一部が縦方向に開口し、平面より見ると略コの字型をした本体６ａからなり、開口した面の最上部には外方に向かって突起６ｂ、６ｂが設けられている。
【００３５】
前記本体６ａの底面部６ｄには、中央の回転軸６ｆからの折り畳むことができる開閉板６ｅが取り付けられており、前記開閉板６ｅの一片は本体６ａより外部に突き出すように取り付けられている。即ち、改変板６ｅの一片は底面部６ｄに固定され、他片が本体６ａより外部へ突きだし、回転軸６ｆを中心にして、突きだした片を折り畳むことができる。
【００３６】
前記本体６ａの開口した面の反対側の面、即ち、前図１３で示した左右梯子軸４ａ、４ｂに連結する面には複数の連結孔６ｃが穿設されている。この連結孔６ｃは前述のように梯子部４より伸びる梯子板４ｃを挿入するための孔である。
【００３７】
図１５は本発明である補助脚構造及び係止構造を備えた梯子の固定部の斜視図である。図１５に示すように、固定部７は、コの字型の固定部本体７ａと、前記固定部本体７ａの開口した面とは反対側の面の外側下部に取り付けられた傾斜板７ｂと、前記固定部本体７ａの内側に位置し留め具７ｅにより固定部本体７ａと連結される押圧板７ｃとからなる。
【００３８】
前記固定部本体７ａの面のうち、前記傾斜板７ｂが取り付けられている面の中央には孔７ｄが穿設されており、また、前記押圧板７ｃの中央にも孔７ｆが穿設されている。前記孔７ｄ、７ｆに留め具７ｅを螺入することで前記固定部本体７ａと押圧板７ｃは連結することができる。尚、押圧板７ｃの背面にはナット７ｇを用意し、孔７ｄ、７ｆに螺入した留め具７ｅが容易に外れないようにしている。
【００３９】
図１６は本発明である補助脚構造及び係止構造を備えた梯子の補助板部の斜視図である。図１６に示すように、前記補助板部８は、略四角柱状かつ上面が開口し略コの字型をした補助板部本体８ａと、前記補助板部本体８ａの背面に取り付けられた直方体状の背面板８ｃと、前記補助板部本体８ａの上面の背面板８ｃ側に取り付けられた上面板８ｄと、前記補助板部本体８ａの先端下部の外面両側に取り付けられたガイド棒８ｅからなる。
【００４０】
前述のように前記補助板部本体８ａは略四角柱状かつ上面が開口した略コの字型をしているため溝８ｂが形成されている。また、前端部の両側面は傾斜部８ｆとなっている。前記背面板８ｃの幅は前記補助板部本体８ａの幅よりも広く、背面板８ｃの両側が補助板部本体８ａから突出している。
【００４１】
図１７は本発明である補助脚構造及び係止構造を備えた梯子の開脚部の斜視図である。図１７に示すように、開脚部９は、略四角柱状かつ上面及び正面並びに背面が開口した略コの字型をした開脚部本体９ａと、前記開脚部本体９ａの先端に取り付けられる傾斜板９ｃと、前記開脚部本体９ａの内部に取り付けられるＬ字型のＬ字止め板９ｅとからなる。
【００４２】
前記開脚部９は略四角柱状かつ上面が開口した略コの字型をし溝９ｂを形成し、両側面の上端が相対する側面に向かって直角に折れ曲がっている。この両面の折れ曲がった上端の幅に合わせた背面９ｄを残して背面部も開口している。
【００４３】
前記開脚部本体９ａ内に取り付けられるＬ字止め板９ｅは、開脚部本体９ａの中央より先端部側に取り付けられ、Ｌ字の起立した面が背面側に向いている。
【００４４】
次に図１８から図２１を使用して、前記補助脚部５の構造を説明することとする。図１８は本発明である補助脚構造及び係止構造を備えた梯子の補助脚部の斜視図である。図１８に示すように、補助脚部５は、前記補助脚軸６、固定部７、補助板部８、開脚部９からなり、各部材間の連結方法については、以下図１９から図２１で詳細に説明する。
【００４５】
図１９は本発明である補助脚構造及び係止構造を備えた梯子の補助脚部の一部拡大図である。前記補助脚持部６の本体６ａ開口面側から前記固定部本体７ａを被せるように嵌着し、前記本体６ａ内側に挿入した押圧板７ｃと留め具７ｅにより連結する。このとき、固定部本体７ａと押圧板７ｃに本体６ａの正面側の左右面が挟持される状態となり、留め具７ｅを弛めることで固定部７が本体６ａ上を上下にスライド移動することができる。
【００４６】
前記本体６ａに取り付けられた固定部７より常に下側にくるように、補助脚軸６には補助板部８が連結されている。補助板部本体８ａの背面板８ｃ側が本体６ａ内に挿入され、補助板部本体８ａの背面板８ｃ側が本体６ａ内を上下に移動できる状態となっている。前記背面板８ｃの幅が前記本体６ａの正面側左右面との間の隙間よりも広いため、背面板８ｃは本体６ａ内から外れることはない。即ち、補助脚軸６と補助板部８の連結が外れることはない。
【００４７】
図２０は本発明である補助脚構造及び係止構造を備えた梯子の補助脚部の一部拡大図である。図２０に示すように、前記補助脚軸６の底面部６ｄに取り付けられた開閉板６ｅのうち、本体６ａより外部に突出した板は前記開脚部９の開脚部本体９ａの一端に取り付けられている。
【００４８】
前記開脚部本体９ａの幅は、前記本体６ａの正面側の左右面の隙間よりも小さく、また、本体６ａと開脚部本体９ａは回動可能な回転軸６ｆを備えて折り畳むことができる開閉板６ｅにより連結されているため、図２０に示すように開脚部９を補助脚軸６内に格納することができる。
【００４９】
図２１は本発明である補助脚構造及び係止構造を備えた梯子の補助脚部の一部拡大図である。前記補助板部本体８ａの先端部は、前記開脚部本体９ａの溝９ｂ内にある。補助板部本体８ａの先端部両側面に取り付けられたガイド棒８ｅから反対側のガイド棒８ｅの両端の幅が前記開脚部本体９ａの両側面上端から直角に折れ曲がった縁間の幅よりも広いため、補助板部本体８ａの先端は開脚部本体９ａ内から外れてしまうことがない。
【００５０】
前記補助板部本体８ａの先端は開脚部本体９ａ内を自由にスライド移動できるが、開脚部本体９ａ内に設けられたＬ字止め板９ｅより先端方向へ向かっては移動させることができない。
【００５１】
以上図１９から図２１に示した補助脚部５全体を図１８に戻り説明することとする。図１８に示すように、補助脚軸６内に格納されていた開脚部９を外方に向かって開くと同時に一端を補助脚軸６の本体６ａ内に連結され、もう一端を開脚部９の開脚部本体９ａ内に連結された補助板部８の先端部は前記Ｌ字止め板９ｅに当たるまで開脚部本体９ａ内を先端に向かってスライド移動し、それに伴って補助板部８の背面板８ｃ側が補助脚軸６の本体６ａ内を下方に向かってスライド移動する。
【００５２】
前記開脚部９を開き、補助板部８のスライド移動が停止した位置で固定部７を補助板部本体８ａにぶつかるまで下ろし、補助板部本体８ａがスライド移動により動くことを防ぐため固定部７の固定部本体７ａと押圧板７ｃに螺合している留め具７ｅを締めて固定部７が動かないようする。
【００５３】
以上のように固定部７を補助脚軸６にしっかりと固定することにより、補助板部８はスライド移動することができなくなり、更に開脚した開脚部９は動くことのできない補助板部８により閉じることができなくなる。開脚した開脚部９の幅の分だけ梯子下部が大きくなり梯子は安定する。
【００５４】
前記開脚部９を再び補助脚軸６内へ格納するには、まず、前記固定部７の留め具７ｅを弛めて固定部７が補助脚軸６上を自由にスライドできる状態にし、固定部７を上方へ移動させる。次に開脚部９を開閉板６ｅの動きに従い補助脚軸６に向かって折り畳む。このとき補助板部本体８ａは固定部７の制御から解放されているため、先端部及び背面側を自由にスライドさせることができる。
【００５５】
即ち、開脚部９の動きに伴って補助板部本体８ａの背面側は補助脚軸６の本体６ａ内を上方に向かって移動し、補助板部本体８ａの先端は開脚部本体９ａ内を補助脚軸６側にむかって移動する。
【００５６】
そして、開脚部９を補助脚軸６内に格納した状態で、再度固定部７を下ろし、固定部７を開脚部９の先端に取り付けられた傾斜板９ｃ上に載せる。このとき、固定部７の留め具７ｅを締め固定部７が動かないようにする。傾斜板９ｃが固定部７により固定されているため開脚部９は外側に広がることができない。
【図面の簡単な説明】
【００５７】
【図１】本発明である補助脚構造及び係止構造を備えた梯子の正面図である。
【図２】本発明である補助脚構造及び係止構造を備えた梯子の背面図である。
【図３】本発明である補助脚構造及び係止構造を備えた梯子の左側面図である。
【図４】本発明である補助脚構造及び係止構造を備えた梯子の断面図である。
【図５】本発明である補助脚構造及び係止構造を備えた梯子の係止部の正面図である。
【図６】本発明である補助脚構造及び係止構造を備えた梯子の係止部の背面図である。
【図７】本発明である補助脚構造及び係止構造を備えた梯子の係止部の左側面図である。
【図８】本発明である補助脚構造及び係止構造を備えた梯子の係止部の断面図である。
【図９】本発明である補助脚構造及び係止構造を備えた梯子の係止部の平面図である。
【図１０】本発明である補助脚構造及び係止構造を備えた梯子の係止部の一部拡大図である。
【図１１】本発明である補助脚構造及び係止構造を備えた梯子の係止部と伸縮梯子部の連結方法を示した拡大図である。
【図１２】本発明である補助脚構造及び係止構造を備えた梯子の伸縮梯子部と梯子部の連結方法を示した拡大図である。
【図１３】本発明である補助脚構造及び係止構造を備えた梯子の梯子部と補助脚軸の連結方法を示した拡大図である。
【図１４】本発明である補助脚構造及び係止構造を備えた梯子の補助脚軸の斜視図である。
【図１５】本発明である補助脚構造及び係止構造を備えた梯子の固定部の斜視図である。
【図１６】本発明である補助脚構造及び係止構造を備えた梯子の補助板部の斜視図である。
【図１７】本発明である補助脚構造及び係止構造を備えた梯子の開脚部の斜視図である。
【図１８】本発明である補助脚構造及び係止構造を備えた梯子の補助脚部の斜視図である。
【図１９】本発明である補助脚構造及び係止構造を備えた梯子の補助脚部の一部拡大図である。
【図２０】本発明である補助脚構造及び係止構造を備えた梯子の補助脚部の一部拡大図である。
【図２１】本発明である補助脚構造及び係止構造を備えた梯子の補助脚部の一部拡大図である。
【符号の説明】
【００５８】
１      補助脚構造及び係止構造を備えた梯子
２      係止部
２ａ    左連結部材
２ｂ    右連結部材
２ｃ    左傾斜部
２ｄ    右傾斜部
２ｅ    連結材
２ｆ    左伸縮部材
２ｇ    右伸縮部材
２ｈ    左係止部材
２ｉ    右係止部材
２ｊ    左滑り止め
２ｋ    右滑り止め
２ｌ    左係止片
２ｍ    右係止片
２ｎ    下係止片
２ｏ    上ガイド
２ｐ    下ガイド
２ｑ    孔
２ｒ    上挿入孔
２ｓ    下挿入孔
２ｔ    固定具
２ｕ    孔
２ｖ    補助板
３      伸縮梯子部
３ａ    左伸縮軸
３ｂ    右伸縮軸
３ｃ    梯子板
３ｄ    留め具
３ｅ    孔
４      梯子部
４ａ    左梯子軸
４ｂ    右梯子軸
４ｃ    梯子板
４ｄ    孔
４ｅ    留め具
４ｆ    孔
４ｇ    傾斜
４ｈ    孔
５      補助脚部
６      補助脚軸
６ａ    本体
６ｂ    突起
６ｃ    連結孔
６ｄ    底面部
６ｅ    開閉板
６ｆ    回転軸
７      固定部
７ａ    固定部本体
７ｂ    傾斜板
７ｃ    押圧板
７ｄ    孔
７ｅ    留め具
７ｆ    孔
７ｇ    ナット
８      補助板部
８ａ    補助板部本体
８ｂ    溝
８ｃ    背面板
８ｄ    上面板
８ｅ    ガイド棒
８ｆ    傾斜部
９      開脚部
９ａ    開脚部本体
９ｂ    溝
９ｃ    傾斜板
９ｄ    背面
９ｅ    Ｌ字止め板
【図１】
2006328855.tif 000003
【図２】
2006328855.tif 000004
【図３】
2006328855.tif 000005
【図４】
2006328855.tif 000006
【図５】
2006328855.tif 000007
【図６】
2006328855.tif 000008
【図７】
2006328855.tif 000009
【図８】
2006328855.tif 000010
【図９】
2006328855.tif 000011
【図１０】
2006328855.tif 000012
【図１１】
2006328855.tif 000013
【図１２】
2006328855.tif 000014
【図１３】
2006328855.tif 000015
【図１４】
2006328855.tif 000016
【図１５】
2006328855.tif 000017
【図１６】
2006328855.tif 000018
【図１７】
2006328855.tif 000019
【図１８】
2006328855.tif 000020
【図１９】
2006328855.tif 000021
【図２０】
2006328855.tif 000022
【図２１】
2006328855.tif 000023